(57)【要約】【課題】プレイ量のインセンティブを直接的に昂揚できるゲームシステムを提供する。【解決手段】第１ゲーム装置１が、可搬記憶媒体を受け入れ、プレイヤのプレイ量に関する情報を生成し、当該プレイ量に関する情報に係るゲームパラメータを前記可搬記憶媒体に書き込み、第２ゲーム装置２が、可搬記憶媒体を受け入れ、受け入れた可搬記憶媒体に記憶されている、ゲームパラメータを読み出し、当該読み出したゲームパラメータに基づき、所定のゲーム処理を行うゲームシステムである。【選択図】        図１
2004148004.tif 000002
【特許請求の範囲】
【請求項１】
第１ゲーム装置と、前記第１ゲーム装置とは別体の第２ゲーム装置と、を含み、
前記第１ゲーム装置は、
可搬記憶媒体を受け入れる媒体受入手段と、
プレイヤのプレイ量に関する情報を生成し、当該プレイ量に関する情報に係るゲームパラメータを前記可搬記憶媒体に書き込む書込手段と、
を有し、
前記第２ゲーム装置は、
可搬記憶媒体を受け入れる媒体受入手段と、
受け入れた前記可搬記憶媒体に記憶されている、ゲームパラメータを読み出し、当該読み出したゲームパラメータに基づき、所定のゲームイベントを処理するゲーム処理手段と、
を有することを特徴とするゲームシステム。
【請求項２】
請求項１に記載のゲームシステムにおいて、
前記プレイ量に関する情報は、
第１ゲーム装置においてプレイヤがプレイのために支払った料金量と、
第１ゲーム装置においてプレイヤがプレイした回数と、
第１ゲーム装置においてプレイヤがプレイした時間と、
のうち少なくとも一つを含む情報であることを特徴とするゲームシステム。
【請求項３】
請求項１又は２に記載のゲームシステムにおいて、
前記ゲームパラメータは、前記所定のゲームイベントの発生の可否又は、前記所定のゲームイベントが発生する際に利用されるデータの少なくとも一方を含み、
前記第２ゲーム装置は、当該ゲームパラメータに基づいて、前記所定のゲームイベントを発生させる処理を行うことを特徴とするゲームシステム。
【請求項４】
請求項３に記載のゲームシステムにおいて、
前記第１ゲーム装置又は第２ゲーム装置の少なくとも一方が、前記所定のゲームイベントを発生させるか否かを乱数に基づいて決定することを特徴とするゲームシステム。
【請求項５】
請求項３又は４に記載のゲームシステムにおいて、
前記第１ゲーム装置又は第２ゲーム装置の少なくとも一方が、前記所定のゲームイベントを発生させたときには、当該所定のゲームイベントを識別する情報を含む、発生記録を前記可搬記憶媒体に書き込む記録書込手段をさらに含み、
当該発生記録があるときには、当該発生記録に含まれる情報によって識別される前記所定のゲームイベントの発生を制限する処理を行うことを特徴とするゲームシステム。
【請求項６】
プレイヤのプレイ量に関する情報を生成し、当該プレイ量に関する情報に係るゲームパラメータを可搬記憶媒体に書き込む手段を含む第１ゲーム装置と連携可能な第２ゲーム装置であって、
前記可搬記憶媒体を受け入れる媒体受入手段と、
受け入れた前記可搬記憶媒体に記憶されている、ゲームパラメータを読み出し、当該読み出したゲームパラメータに基づき、所定のゲームイベントを処理するゲーム処理手段と、
を有することを特徴とする第２ゲーム装置。
【請求項７】
可搬記憶媒体を受け入れる媒体受入手段と、
プレイヤのプレイ量に関する情報を生成し、当該プレイ量に関する情報に係るゲームパラメータを前記可搬記憶媒体に書き込む書込手段と、
を含むことを特徴とする第１ゲーム装置。
【請求項８】
第１ゲーム装置と、第２ゲーム装置とを用い、
前記第１ゲーム装置に、プレイヤのプレイ量に関する情報を生成し、当該プレイ量に関する情報に係るゲームパラメータを可搬記憶媒体に書き込ませるステップと、
前記第２ゲーム装置に、前記可搬記憶媒体に記憶されている、ゲームパラメータを読み出し、当該読み出したゲームパラメータに基づき、所定のゲームイベントを処理するステップと、
を含むことを特徴とするゲームの提供方法。
【請求項９】
プレイヤのプレイ量に関する情報を生成し、当該プレイ量に関する情報に係るゲームパラメータを可搬記憶媒体に書き込む第１ゲーム装置と協働する第２ゲーム装置、に内蔵されたコンピュータに、
前記可搬記憶媒体に記憶されている、ゲームパラメータを読み出す手順と、
当該読み出したゲームパラメータに基づき、所定のゲームイベントを処理する手順と、
を実行させることを特徴とするプログラム。
【請求項１０】
コンピュータに、
プレイヤのプレイ量に関する情報を生成する手順と、
当該プレイ量に関する情報に係るゲームパラメータを前記可搬記憶媒体に書き込む手順と、
を実行させることを特徴とするプログラム。
【発明の詳細な説明】
【０００１】
【発明の属する技術分野】
本発明は、第１、第２のゲーム装置を連携させるゲームシステム、ゲーム装置、ゲームの提供方法、及びプログラムに関する。
【０００２】
【従来の技術】
近年、家庭用ゲーム装置が高性能化し、商業用としてゲームセンター等に配置される商業用ゲーム装置において提供されるゲームと、同内容のゲームを家庭内で楽しむプレイヤが増加している。こういったゲームのプレイヤはゲームセンターにおいて商業用ゲーム装置で、そのゲームを楽しむ一方で、家庭内では家庭用ゲーム装置で同じタイトルのゲームを楽しんでいる。
【０００３】
【発明が解決しようとする課題】
しかしながら、上記従来の商業用ゲーム装置と家庭用ゲーム装置との間で行われるデータ交換は、プレイ内容のデータ交換に留まっており、プレイの量に関するインセンティブを直接的に与えることができなかった。
【０００４】
本発明は上記実情に鑑みて為されたもので、商業用ゲーム装置と家庭用ゲーム装置等、２つのゲーム装置におけるプレイヤのプレイ量に関する情報に係るゲームパラメータを交換させ、プレイ量のインセンティブを昂揚できるゲームシステムを提供することを、その目的の一つとする。
【０００５】
【課題を解決するための手段】
上記従来例の問題点を解決するための本発明は、第１ゲーム装置と、前記第１ゲーム装置とは別体の第２ゲーム装置と、を含むゲームシステムであって、前記第１ゲーム装置は、可搬記憶媒体を受け入れる媒体受入手段と、プレイヤのプレイ量に関する情報を生成し、当該プレイ量に関する情報に係るゲームパラメータを前記可搬記憶媒体に書き込む書込手段と、を有し、前記第２ゲーム装置は、可搬記憶媒体を受け入れる媒体受入手段と、受け入れた前記可搬記憶媒体に記憶されている、ゲームパラメータを読み出し、当該読み出したゲームパラメータに基づき、所定のゲームイベントを処理するゲーム処理手段と、を有することを特徴としている。
【０００６】
このようにプレイ量に関する情報に係るゲームパラメータをそれぞれ別体の第１ゲーム装置と第２ゲーム装置との間で交換させることで、プレイ量のインセンティブを昂揚できる。なお、ここで所定のゲームイベントとは、ゲーム処理において現れるゲームイベントのうち、その出現が制限され、前記第２ゲーム装置にて読み出されたゲームパラメータに基づいて出現の制限が解除されるもの、又は第２ゲーム装置単体では出現しないゲームイベントであって、第１ゲーム装置から提供され、第２ゲーム装置にて読み出されたゲームパラメータによって実現され、出現可能な状態となるゲームイベント等をいい、以下では簡単に「特殊イベント」と称している。
【０００７】
ここで前記プレイ量に関する情報は、第１ゲーム装置においてプレイヤがプレイのために支払った料金量と、第１ゲーム装置においてプレイヤがプレイした回数と、第１ゲーム装置においてプレイヤがプレイした時間と、のうち少なくとも一つを含む情報としてもよい。これによりプレイ量を検知し得る。
【０００８】
さらに前記ゲームパラメータは、前記所定のゲームイベントの発生の可否又は、前記所定のゲームイベントが発生する際に利用されるデータの少なくとも一方を含み、前記第２ゲーム装置は、当該ゲームパラメータに基づいて、前記所定のゲームイベントを発生させる処理を実行することとしてもよい。
【０００９】
この場合においてさらに前記第１ゲーム装置又は第２ゲーム装置の少なくとも一方が、前記所定のゲームイベントを発生させるか否かを乱数に基づいて決定することとしてもよい。さらに前記第１ゲーム装置又は第２ゲーム装置の少なくとも一方が、前記所定のゲームイベントを発生させたときには、当該所定のゲームイベントを識別する情報を含む、発生記録を前記可搬記憶媒体に書き込む記録書込手段をさらに含み、当該発生記録があるときには、当該発生記録に含まれる情報によって識別される所定のゲームイベントの発生を制限する処理を行うことも好ましい。これらのようにすることで、ゲーム性を高め、プレイ量のインセンティブをさらに高めることができる。
【００１０】
上記従来例の問題点を解決する本発明は、プレイヤのプレイ量に関する情報を生成し、当該プレイ量に関する情報に係るゲームパラメータを可搬記憶媒体に書き込む手段を含む第１ゲーム装置と連携可能な第２ゲーム装置であって、前記可搬記憶媒体を受け入れる媒体受入手段と、受け入れた前記可搬記憶媒体に記憶されている、ゲームパラメータを読み出し、当該読み出したゲームパラメータに基づき、所定のゲームイベントを処理するゲーム処理手段と、を有することを特徴としている。このようにプレイ量に関する情報に係るゲームパラメータをそれぞれ別体の第１ゲーム装置と第２ゲーム装置との間で交換させることで、プレイ量のインセンティブを昂揚できる。
【００１１】
上記従来例の問題点を解決するための本発明は、第１ゲーム装置であって、可搬記憶媒体を受け入れる媒体受入手段と、プレイヤのプレイ量に関する情報を生成し、当該プレイ量に関する情報に係るゲームパラメータを前記可搬記憶媒体に書き込む書込手段と、を含むことを特徴としている。
【００１２】
さらに本発明の一態様に係るゲームの提供方法によれば、第１ゲーム装置と、第２ゲーム装置とを用い、前記第１ゲーム装置に、プレイヤのプレイ量に関する情報を生成し、当該プレイ量に関する情報に係るゲームパラメータを可搬記憶媒体に書き込ませるステップと、前記第２ゲーム装置に、前記可搬記憶媒体に記憶されている、ゲームパラメータを読み出し、当該読み出したゲームパラメータに基づき、所定のゲームイベントを処理させるステップと、を含むことを特徴とする。このようにプレイ量に関する情報に係るゲームパラメータをそれぞれ別体の第１ゲーム装置と第２ゲーム装置との間で交換させることで、プレイ量のインセンティブを昂揚できる。
【００１３】
さらに本発明の別の態様に係るプログラムによれば、プレイヤのプレイ量に関する情報を生成し、当該プレイ量に関する情報に係るゲームパラメータを可搬記憶媒体に書き込む第１ゲーム装置と協働する第２ゲーム装置、に内蔵されたコンピュータに、前記可搬記憶媒体に記憶されている、ゲームパラメータを読み出す手順と、当該読み出したゲームパラメータに基づき、所定のゲームイベントを処理する手順と、を実行させることを特徴としている。
【００１４】
さらに本発明の別の態様に係るプログラムによれば、コンピュータに、プレイヤのプレイ量に関する情報を生成する手順と、当該プレイ量に関する情報に係るゲームパラメータを前記可搬記憶媒体に書き込む手順と、を実行させることを特徴とする。
【００１５】
【発明の実施の形態】
本発明の実施の形態について図面を参照しながら説明する。本発明の実施の形態に係るゲームシステムは、図１に示すように、それぞれ別体に設けられた第１ゲーム装置１と、第２ゲーム装置２とを含んで構成されている。第１ゲーム装置１は、制御部１１と、記憶部１２と、操作部１３と、表示部１４と、可搬記憶媒体ドライブ１５と、課金部１６とを含んで構成され、第２ゲーム装置２は、制御部２１と、記憶部２２と、操作部２３と、表示部２４と、可搬記憶媒体ドライブ２５とを含む。
【００１６】
ここで、第１ゲーム装置１は、ゲームセンター等に置かれる商業用ゲーム機とすることができ、第２ゲーム装置２は、家庭用ゲーム装置とすることができる。なお、第２ゲーム装置２の表示部２４は、家庭用のテレビ受像器として別体に設けられていてもよい。
【００１７】
第１ゲーム装置１の制御部１１は、本発明の書込手段を実現するもので、記憶部１２に格納されているプログラムに従って動作し、ゲームイベントを処理する。この制御部１１の具体的な処理の内容は後で説明する。記憶部１２は、制御部１１によって実行されるプログラムを格納している。また、この記憶部１２は制御部１１の処理のためのデータを記憶する、ワークメモリとしても動作する。
【００１８】
操作部１３は、ジョイスティックやボタン等のコントローラであり、プレイヤの操作の内容を制御部１１に出力する。表示部１４は、ディスプレイ等であり、制御部１１から入力される指示に従ってゲーム画面を表示する。
【００１９】
可搬記憶媒体ドライブ１５は、可搬記憶媒体を受け入れて、制御部１１から入力される指示に従って、可搬記憶媒体に格納された情報を読み出して制御部１１に出力し、また、制御部１１から入力される情報を可搬記憶媒体に格納する。ここで可搬記憶媒体は、スマートメディア（商標）等、内蔵するＩＣにデータを記憶する記憶素子や、リライト・カードのように媒体表面の物性を変化させて情報を記録するもの、紙面に赤外インク等の不可視インクで情報を記録するもの、さらには可搬型ハードディスク・デバイス、ＭＯ、ＣＤーＲ等、光学的・電磁気的に情報を記録するものを含む。
【００２０】
課金部１６は、貨幣等、金銭を受け入れて、その金額を識別し、当該識別した金額を表す情報を制御部１１に出力する。
【００２１】
ここで制御部１１の処理の内容について説明する。制御部１１は、課金部１６から受け入れた金額の情報が入力されると、この情報を記憶部１２に累算して格納する。つまり、現在記憶部１２にいままでに受け入れられた金額として「２００円」が格納されているときに、課金部１６から金額「１００円」の情報が入力されると、これらを累算した「３００円」の情報を記憶部１２に格納する。制御部１１は、課金部１６から入力された金額の情報を用いて、予め定められたプレイ単価で当該情報に示された金額を除して、プレイ可能な回数をクレジット情報として演算する。
【００２２】
制御部１１は、プレイヤからプレイ開始の指示を受けると、クレジット情報が「１」以上であるか否かを確認し、「１」以上であれば、クレジット情報をデクリメントし、ゲーム処理を開始する。このゲーム処理では、制御部１１は、可搬記憶媒体ドライブ１５に対して可搬記憶媒体に格納されたプレイ内容の情報を読み出すように指示し、可搬記憶媒体ドライブ１５が可搬記憶媒体から読み出したプレイ内容の情報が入力されると、これに基づいてゲームの処理が行われる。やがてプレイヤからゲーム終了の指示があるか、あるいはゲームオーバとなると、そのプレイ内容を可搬記憶媒体に書き込むよう、可搬記憶媒体ドライブ１５に指示する。
【００２３】
本実施の形態において特徴的なことは、制御部１１が、プレイ内容だけでなく、プレイ量に関する情報を可搬記憶媒体に書き込むことである。ここでプレイ量は、プレイヤが第１ゲーム装置１でどれだけプレイをしたかを表す情報であり、具体的には、第１ゲーム装置１においてプレイヤがプレイのために支払った料金の総額、第１ゲーム装置１においてプレイヤがプレイした回数、第１ゲーム装置においてプレイヤがプレイした時間等によって表される。
【００２４】
すなわち制御部１１は、可搬記憶媒体からプレイ量に関する情報を読み出すよう可搬記憶媒体ドライブ１５に指示し、可搬記憶媒体ドライブ１５から入力されたプレイ量に関する情報に、今回のプレイ量の情報を追記して、追記後のプレイ量の情報を、可搬記憶媒体に書き込むよう、可搬記憶媒体ドライブ１５に指示する。
【００２５】
例えば、プレイ量としてプレイのために支払った金額とする場合、制御部１１は、読み出したプレイ量（いままでの総額）に関する情報に、記憶部１２に累算して格納されている金額の情報を加算して新たなプレイ量の情報として生成し、可搬記憶媒体に書き込ませる。
【００２６】
またプレイ量としてプレイ回数を用いる場合、制御部１１は、例えばプレイヤからプレイ開始（プレイ再開を含んでもよい）の指示を受けたときに、クレジット情報が「１」以上であれば、その際に今回のプレイ回数（可搬記憶媒体ドライブ１５に可搬記憶媒体が受け入れられてから、可搬記憶媒体が抜き取られるまでの間にされたプレイ回数）をインクリメントして記憶部１２に格納しておき、読み出したプレイ量（いままでの総回数）に関する情報に、記憶部１２に格納している今回のプレイ回数（可搬記憶媒体ドライブ１５に可搬記憶媒体が受け入れられてから、可搬記憶媒体が抜き取られるまでの間にされたプレイ回数）の累算値を加算して新たなプレイ量の情報として生成し、可搬記憶媒体に書き込ませる。
【００２７】
さらにプレイ量としてプレイ時間を用いる場合は、制御部１１は例えばゲーム処理開始時に図示しないタイマを起動しておき、プレイ終了時（プレイ終了指示又はゲームオーバ時点）にこのタイマが計時している時間をプレイ時間の情報として、記憶部１２に累算して記憶する。こうして今回の総プレイ時間を取得しておき、読み出したプレイ量（いままでの総時間）に関する情報に、記憶部１２に格納している今回のプレイ時間（可搬記憶媒体ドライブ１５に可搬記憶媒体が受け入れられてから、可搬記憶媒体が抜き取られるまでの間にされたプレイの時間）の累算値を加算して新たなプレイ量の情報として生成し、可搬記憶媒体に書き込ませる。
【００２８】
このほかプレイ量としては、延べゲームステージ数、延べ操作キャラクタ数（操作したキャラクタの数）等でもよい。
【００２９】
本実施の形態の第１ゲーム装置１は、上記構成を有し、その内容を機能ブロック図によって表せば、図２に示すようなものとなる。すなわち、第１ゲーム装置１は、可搬記憶媒体受入部３１と、読出部３２と、書込部３３と、ゲーム処理部３４と、プレイ量測定部３５と、プレイ量情報生成部３６とを含んで構成される。可搬記憶媒体受入部３１と、読出部３２と、書込部３３とは、可搬記憶媒体ドライブ１５によって実現される。また、ゲーム処理部３４と、プレイ量測定部３５と、プレイ量情報生成部３６は、制御部１１によって基本的に実現される。
【００３０】
可搬記憶媒体受入部３１は、可搬記憶媒体を受け入れる。読出部３２は、可搬記憶媒体受入部３１によって受け入れられた可搬記憶媒体から情報を読み出してゲーム処理部３４と、プレイ量情報生成部３６とに出力する。書込部３３は、プレイ量情報生成部３６から入力される情報を可搬記憶媒体受入部３１によって受け入れられた可搬記憶媒体に書き込む。
【００３１】
ゲーム処理部３４は、予め定められたプログラムに従ってゲーム処理を実行する。プレイ量測定部３５は、今回のプレイ（可搬記憶媒体受入部３１に可搬記憶媒体が受け入れられてから、可搬記憶媒体が抜き取られるまでの間にされたプレイ）のプレイ量を測定する。具体的にこのプレイ量は、プレイのために投入された金額の総額、プレイ回数、（図示しないタイマによって測定された）プレイ時間とすることができる。また、このプレイ量測定部３５は、今回のプレイに関するプレイ量の情報をプレイ量情報生成部３６に出力する。
【００３２】
プレイ量情報生成部３６は、読出部３２から現在可搬記憶媒体に格納されているプレイ量の情報（いままでのプレイ量の情報）の入力を受け、また、プレイ量測定部３５から今回のプレイ量の情報の入力を受けて、これらを加算して新たなプレイ量の情報を生成し、書込部３３に出力する。これにより可搬記憶媒体に新たなプレイ量の情報が記録される。このプレイ量情報生成部３６は、例えばユーザが可搬記憶媒体を抜き取るための操作を行ったとき、あるいはプレイ内容を格納するときに併せて、その処理を行うようにすればよい。
【００３３】
次に、第２ゲーム装置２の各部について説明する。第２ゲーム装置２の制御部２１は、本発明のゲーム処理手段を実現するもので、記憶部２２に格納されているプログラムに従って動作し、所定のゲーム処理を実行する。この制御部２１の具体的な処理の内容は後で説明する。記憶部２２は、制御部２１によって実行されるプログラムを格納している。また、この記憶部２２は制御部２１の処理のためのデータを記憶する、ワークメモリとしても動作する。
【００３４】
操作部２３は、ジョイスティックやボタン、ゲームコントローラ等であり、プレイヤの操作の内容を制御部２１に出力する。表示部２４は、ディスプレイや家庭用テレビ受像機等であり、制御部２１から入力される指示に従ってゲーム画面を表示する。
【００３５】
可搬記憶媒体ドライブ２５は、可搬記憶媒体を受け入れて、制御部２１から入力される指示に従って、可搬記憶媒体に格納された情報を読み出して制御部２１に出力し、また、制御部２１から入力される情報を可搬記憶媒体に格納する。この可搬記憶媒体ドライブ２５が、本発明における第２ゲーム装置の媒体受入手段を実現する。
【００３６】
ここで制御部２１の処理の内容について説明する。制御部２１は、プレイヤからプレイ開始の指示を受けるとゲーム処理を開始する。このゲーム処理では、制御部２１は、可搬記憶媒体ドライブ２５に対して可搬記憶媒体に格納されたプレイ内容の情報を読み出すように指示し、可搬記憶媒体ドライブ２５が可搬記憶媒体から読み出したプレイ内容の情報が入力されると、これに基づいてゲームの処理が行われる。やがてプレイヤからゲーム終了の指示があるか、あるいはゲームオーバとなると、制御部２１は、そのプレイ内容を可搬記憶媒体に書き込むよう、可搬記憶媒体ドライブ２５に指示する。
【００３７】
本実施の形態において特徴的なことは、この制御部２１が、可搬記憶媒体からプレイ内容だけでなく、プレイ量に関する情報を読み出すよう可搬記憶媒体ドライブ２５に対して指示し、読み出されたプレイ量に関する情報を用いてゲーム処理の内容を変更することである。
【００３８】
ゲーム処理の内容を変更する一例は、プレイ量が予め定められたしきい値に達するごとに、制御部２１がゲーム上で特殊イベントを発生させるといったものである。ここで特殊イベントは、例えばゲーム内容が、仮想的なペットをしつけながら飼育するといったゲームの場合、通常は現れない種類のペットが選択肢に現れたり、通常現れないゲームアイテムが出現したりといったものがある。また、ゲーム処理の内容を変更する別の例としては、ゲーム上の難易度を変更する等の例も考えられる。
【００３９】
本実施の形態の第２ゲーム装置２は、上記構成を有し、その内容を機能ブロック図によって表せば、図３に示すようなものとなる。すなわち、第２ゲーム装置２は、可搬記憶媒体受入部４１と、読出部４２と、ゲーム処理部４３と、書込部４４を含んで構成される。可搬記憶媒体受入部４１と、読出部４２と書込部４４とは、可搬記憶媒体ドライブ２５によって実現される。また、ゲーム処理部４３は、制御部２１によって基本的に実現される。
【００４０】
可搬記憶媒体受入部４１は、可搬記憶媒体を受け入れる。読出部４２は、可搬記憶媒体受入部４１によって受け入れられた可搬記憶媒体からプレイ内容とプレイ量との情報を読み出してゲーム処理部４３に出力する。ゲーム処理部４３は、予め定められたプログラムに従ってゲーム処理を実行しており、上述したように、読出部４２から入力されるプレイ量の情報を利用してそのゲーム処理の内容を変更する。書込部４４は、ゲーム処理部４３からプレイ内容の情報の入力を受けて、これを可搬記憶媒体受入部４１で受け入れた可搬記憶媒体に書き込む。
【００４１】
本実施の形態によると、第１ゲーム装置１においてプレイにかけた料金や時間、プレイ回数等のプレイ量に応じて、第２ゲーム装置２におけるゲーム処理の内容が変更され、例えば特殊イベントが発生する。これにより、第１ゲーム装置１におけるプレイ量に関するインセンティブがプレイヤに与えられる。
【００４２】
また、本発明は、ここまでに示した実施形態に限られるものではない。例えば、ここまでの説明では、第２ゲーム装置でのゲーム処理内容に影響を与える本発明のゲームパラメータは、プレイ量そのものであるとして説明したが、ゲームパラメータは、特殊ゲームイベントの発生の可否や、特殊ゲームイベントが発生する際に利用されるデータのいずれか一方、あるいは両方であってもよい。
【００４３】
つまり、例えばゲーム内容が、仮想的なペットをしつけながら飼育するといったゲームの場合、通常は現れない種類のペットを選択肢に加えるか否か、又は通常現れないゲームアイテムを出現させるか否かの情報や、これら通常現れない種類のペットやゲームアイテムのデータそのもの（画像データや各種パラメータ）の情報であってもよい。
【００４４】
さらにこの場合に、第１ゲーム装置１において、ゲーム量が予め定められたしきい値を越えた場合等、所定の特殊イベント発生条件を満足した場合にも、乱数によって、実際に特殊ゲームイベントを発生させるか否かを決定してもよい。これによれば、ゲーム量が所定の条件を満足したとしても必ずしも特殊イベントが発生するか否かがわからないので、ゲーム性が向上する。
【００４５】
この処理はまた、第１ゲーム装置１ではなく、第２ゲーム装置２側で、特殊イベントを発生させるためのゲームパラメータが入力されたときに、これに基づいて実際に特殊イベントを発生させるか否かを乱数によって決定するようにして行ってもよい。これによっても同様の結果となり、ゲーム性が向上する。
【００４６】
さらに、一度発生した特殊イベントが再度発生しないように、第２ゲーム装置２が、発生させた特殊イベントを特定する情報と、その回数又は当該特殊イベントを発生させたか否かの情報とを関連づけて、発生記録情報として可搬記憶媒体に書き込むこととしてもよい。そして、特殊イベントを発生させることとなったときに、この発生記録情報を参照して、発生させようとする特殊イベントがすでに予め定めた限界の回数だけ発生している場合に、特殊イベントの発生を中止する。これによると、特殊イベントの発生回数が抑制されるので、ゲーム性が向上する。
【００４７】
また、ここまでの説明では、第１のゲーム装置１が、プレイヤが複数回連続してプレイする場合を考慮して、「今回のプレイ量」を演算していたが、プレイごとに、そのプレイでのプレイ量を加算して書き込みを行うようにしてもよい。
【００４８】
【発明の効果】
本発明によれば、プレイ量のインセンティブを昂揚できる。
【図面の簡単な説明】
【図１】本発明の実施の形態に係るゲームシステムの構成ブロック図である。
【図２】本発明の実施の形態に係る第１のゲーム装置の機能ブロック図である。
【図３】本発明の実施の形態に係る第２のゲーム装置の機能ブロック図である。
【符号の説明】
１  第１ゲーム装置、２  第２ゲーム装置、１１，２１  制御部、１２，２２記憶部、１３，２３  操作部、１４，２４  表示部、１５，２５  可搬記憶媒体ドライブ、１６  課金部、３１，４１  可搬記憶媒体受入部、３２，４２  読出部、３３，４４  書込部、３４，４３  ゲーム処理部、３５  プレイ量測定部、３６  プレイ量情報生成部。
【図１】
2004148004.tif 000003
【図２】
2004148004.tif 000004
【図３】
2004148004.tif 000005
【手続補正書】
【提出日】平成16年1月9日(2004.1.9)
【手続補正１】
【補正対象書類名】明細書
【補正対象項目名】特許請求の範囲
【補正方法】変更
【補正の内容】
【特許請求の範囲】
【請求項１】
第１ゲーム装置と、前記第１ゲーム装置とは別体の第２ゲーム装置と、を含み、
前記第１ゲーム装置は、
可搬記憶媒体を受け入れる媒体受入手段と、
プレイヤがプレイのために料金として支払う金銭を受け入れる課金手段と、
前記可搬記憶媒体に以前に記憶されているゲームパラメータに含まれる総料金量に、前記課金手段により受け入れられる金銭の金額を加算して、新たな総料金量として生成し、該新たな総料金量を含むゲームパラメータを、前記可搬記憶媒体に書き込む書込手段と、
を有し、
前記第２ゲーム装置は、
可搬記憶媒体を受け入れる媒体受入手段と、
受け入れた前記可搬記憶媒体に記憶されている、前記ゲームパラメータを読み出して、前記総料金量が予め定められたしきい値に達するごとに、所定のゲームイベントを処理するゲーム処理手段と、
を有することを特徴とするゲームシステム。
【請求項２】
請求項１に記載のゲームシステムにおいて、
前記第２ゲーム装置は、
受け入れた前記可搬記憶媒体に記憶されている、前記ゲームパラメータを読み出して、前記総料金量が予め定められたしきい値に達するごとに、乱数に応じて、所定のゲームイベントを処理するゲーム処理手段、
を有することを特徴とするゲームシステム。
【請求項３】
請求項１に記載のゲームシステムにおいて、
前記書込手段は、前記ゲームパラメータに、前記所定のゲームイベントの発生の可否又は、前記所定のゲームイベントが発生する際に利用されるデータの少なくとも一方をさらに含めること、
を特徴とするゲームシステム。
【請求項４】
請求項３に記載のゲームシステムにおいて、
前記書込手段は、前記ゲームパラメータに、前記所定のゲームイベントの発生の可否又は、前記所定のゲームイベントが発生する際に利用されるデータの少なくとも一方を、乱数に応じて、さらに含めること、
を特徴とするゲームシステム。
【請求項５】
請求項１乃至４に記載のゲームシステムにおいて、
前記第１ゲーム装置又は第２ゲーム装置の少なくとも一方が、前記所定のゲームイベントを発生させたときには、当該所定のゲームイベントを識別する情報を含む発生記録を前記可搬記憶媒体に書き込む記録書込手段をさらに含み、
当該発生記録があるときには、当該発生記録に含まれる情報によって識別される前記所定のゲームイベントの発生を制限する処理を行うことを特徴とするゲームシステム。
【請求項６】
プレイヤがプレイのために料金として支払う金銭を受け入れる課金手段と、
前記可搬記憶媒体に以前に記憶されているゲームパラメータに含まれる総料金量に、前記課金手段により受け入れられる金銭の金額を加算して、新たな総料金量として生成し、該新たな総料金量を含むゲームパラメータを、前記可搬記憶媒体に書き込む書込手段と、
を含む第１ゲーム装置により、前記ゲームパラメータが書き込まれた可搬記憶媒体を受け入れる媒体受入手段と、
受け入れた前記可搬記憶媒体に記憶されている、前記ゲームパラメータを読み出して、前記総料金量が予め定められたしきい値に達するごとに、所定のゲームイベントを処理するゲーム処理手段と、
を有することを特徴とする第２ゲーム装置。
【請求項７】
第１ゲーム装置と、前記第１ゲーム装置とは別体の第２ゲーム装置とを含むゲームシステムによるゲームの提供方法であって、
前記第１ゲーム装置が備える課金手段が、プレイヤがプレイのために料金として支払う金銭を受け入れる課金ステップと、
前記第１ゲーム装置が備える書込手段が、前記可搬記憶媒体に以前に記憶されているゲームパラメータに含まれる総料金量に、前記課金手段により受け入れられる金銭の金額を加算して、新たな総料金量として生成し、該新たな総料金量を含むゲームパラメータを、前記可搬記憶媒体に書き込ませるステップと、
前記第２ゲーム装置が備えるゲーム処理手段が、前記可搬記憶媒体に記憶されている、前記ゲームパラメータを読み出し、前記総料金量が予め定められたしきい値に達するごとに、所定のゲームイベントを処理するステップと、
を含むことを特徴とするゲームの提供方法。
【請求項８】
可搬記憶媒体を受け入れる媒体受入手段と、
プレイヤがプレイのために料金として支払う金銭を受け入れる課金手段と、
前記可搬記憶媒体に以前に記憶されているゲームパラメータに含まれる総料金量に、前記課金手段により受け入れられる金銭の金額を加算して、新たな総料金量として生成し、該新たな総料金量を含むゲームパラメータを、前記可搬記憶媒体に書き込む書込手段と、
を有する第１ゲーム装置により、前記ゲームパラメータが書き込まれた前記可搬記憶媒体に記憶されている、前記ゲームパラメータを読み出して、前記総料金量が予め定められたしきい値に達するごとに、所定のゲームイベントを処理する手順を、コンピュータに
実行させることを特徴とするプログラム。